(57)【特許請求の範囲】
【請求項１】
時計ケースのケース胴の上面に回転自在に取付けられたレジスターリングの構造において、側壁に形成された雄ネジと外周上部に形成されたレジスターリング取付け部とを有するケース胴と、外周に係合突起が形成された前記レジスターリングと、内周上方に形成された鍔部と内壁に形成された雌ネジとを有する固定リングとから構成され、
前記ケース胴のレジスターリング取付け部に前記レジスターリングを設置し、前記レジスターリングの係合突起に前記固定リングの鍔部を係合させて前記ケース胴の雄ネジに前記固定リングの雌ネジを螺着させ、前記ケース胴に前記レジスターリングを着脱自在に固定すると共に、前記固定リングと前記ケース胴とに、前記固定リングをケース胴に固定するロック機構を少なくとも１つ設けたことを特徴とする時計用レジスターリングの構造。
【請求項２】
前記ロック機構は、前記固定リングの外壁に形成した周状凹部に、前記ケース胴に回動可能に固定されたロック片が係合することでなされることを特徴とする請求項１記載の時計用レジスターリングの構造。
【請求項３】
前記ロック片が、時刻表示面と平行に回動し、且つ、前記ケース胴に形成されているリューズガード部に軸着されていることを特徴とする請求項２記載の時計用レジスターリングの構造。
【請求項４】
前記固定リングに前記ロック片が係合した時、前記ロック片を前記リューズガード部に凹凸係合固定させるため、前記ロック片又は前記リューズガード部の一方に凹部が他方に凸部が形成されていることを特徴とする請求項３記載の時計用レジスターリングの構造。
【請求項５】
前記ロック片または前記リューズガード部に設けられた凸部が、突起、ピボット、ネジの中の１つからなることを特徴とする請求項４記載の時計用レジスターリングの構造。
【請求項６】
前記ケース胴に回動可能に固定された前記ロック片の軸と係合部との位置関係が、前記ケース胴から前記固定リングを外す回転方向に対し前記軸が「しも手」に位置していることを特徴とする請求項５記載の時計用レジスターリングの構造。
【請求項７】
前記レジスターリングが、該レジスターリング下面に等間隔で形成された溝と前記ケース胴のレジスターリング取付け部に配置されたクリックバネとの係合で節度を持って回転できることを特徴とする請求項１記載の時計用レジスターリングの構造。
【発明の詳細な説明】
【０００１】
【発明の属する技術分野】
本発明は、時計ケース（時計）のレジスターリングをユーザーが工具なしで取り外すことのできる時計用レジスターリングの構造に関するものである。
【０００２】
【従来の技術】
従来の時計用レジスターリングの一般的な構造として、例えば、実開昭５６−８４７７４号公報にその技術が開示されている。図８でその概要について説明する。
【０００３】
図８において、時計ケース２０のケース胴２１の上方側壁に周状の外周突起２１ａを設け、この外周突起２１ａの直径より僅かに径小の内周突起２２ａを有する回転ベゼル２２（レジスターリングと同じ）をケース胴２１の上方より圧入して、前記外周突起２１ａと前記内周突起２２ａとの係合により前記回転ベゼル２２を前記ケース胴２１に回転自在に固定したものである。
【０００４】
また、時計のケース胴から表示リング（レジスターリングと同じ）を外すことが可能な構造として、例えば、実開昭５８−９２６８９号公報にその技術が開示されている。図９でその概要について説明する。
【０００５】
図９において、時計ケース３０で、下方側壁に周状の外周突起３１ａを設けた表示リング３１をケース胴３２の上方外周部に配置し、前記外周突起３１ａに、取付部材３３の上方内壁に設けた内周突起３３ａを係合させた状態で、ネジ３４により前記取付部材３３を前記ケース胴３２に固定することにより、前記表示リング３１を前記ケース胴３２に回転自在に固定したものである。
【０００６】
【発明が解決しようとする課題】
しかしながら、この従来の時計用レジスターリング構造においては、前述した実開昭５６−８４７７４号公報の場合は、ケース胴から回転ベゼルを外すことが出来ず、ケース胴と回転ベゼルとの間に、ゴミ、砂等が入った場合、スムーズに回転ベゼルを回転することができない。
【０００７】
また、回転ベゼルの下面にクリック溝を有する場合は、ゴミ、砂等の摩擦によりクリック溝を擦り減らし、クリックバネとクリック溝の適正な係合ができず、節度ある回転ベゼルの回転が得られなくなる。
【０００８】
また、ゴミ、砂等により、素材の錆発生の原因となっている。
【０００９】
次に、前述した実開昭５８−９２６８９号公報の場合は、ケース胴と表示リングとの間に、ゴミ、砂等が入った場合、スームーズに表示リングを回転することができない。
【００１０】
また、表示リングの下面にクリック溝を有する場合は、ゴミ、砂等の摩擦によりクリック溝を擦り減らし、クリックバネとクリック溝の適正な係合ができず、節度ある表示リングの回転が得られなくなる。
【００１１】
また、ゴミ、砂等により、素材の錆発生の原因となっている。
【００１２】
また、ケース胴と表示リングとの間に入ったゴミ、砂等を取り除く場合は、ネジでケース胴に固定されている取付部材を外すため、専用の工具が必要となる。
【００１３】
本発明は、上記問題点を解決し、ユーザーが工具なしで時計ケースからレジスターリングを簡単に外すことができ、ゴミ、砂等を取り除くことにより、長期の使用においても常に安定したレジスターリングの回転が得られ、且つ、素材の錆発生も起き難い時計用レジスターリングの構造を提供することにある。
【００１４】
【課題を解決するための手段】
前述した目的を達成するための本発明の手段は、時計ケースのケース胴の上面に回転自在に取付けられたレジスターリングの構造において、側壁に形成された雄ネジと外周上部に形成されたレジスターリング取付け部とを有するケース胴と、外周に係合突起が形成された前記レジスターリングと、内周上方に形成された鍔部と内壁に形成された雌ネジとを有する固定リングとから構成され、前記ケース胴のレジスターリング取付け部に前記レジスターリングを設置し、前記レジスターリングの係合突起に前記固定リングの鍔部を係合させて前記ケース胴の雄ネジに前記固定リングの雌ネジを螺着させ、前記ケース胴に前記レジスターリングを着脱自在に固定すると共に、前記固定リングと前記ケース胴とに、前記固定リングをケース胴に固定するロック機構を少なくとも１つ設けたことを特徴とするものである。
【００１６】
また、前記ロック機構が、前記固定リングの外壁に形成した周状凹部に、前記ケース胴に回動可能に固定されたロック片が係合することでなされることを特徴とするものである。
【００１７】
また、前記ロック片が、時刻表示面と平行に回動し、且つ、ケース胴のリューズガード部に軸着されていることを特徴とするものである。
【００１８】
また、前記固定リングに前記ロック片が係合した時、前記ロック片を前記リューズガード部に凹凸係合固定させるため、前記ロック片又は前記リューズガード部の一方に凹部が他方に凸部が形成されていることを特徴とするものである。
【００１９】
また、前記ロック片または前記リューズガード部に設けられた凸部が、突起、ピボット、ネジの中の１つからなることを特徴とするものである。
【００２０】
また、前記ケース胴に回動可能に固定されたロック片の軸と係合部との位置関係が、前記ケース胴から前記固定リングを外す回転方向に対し前記軸が、「しも手」に位置していることを特徴とするものである。
【００２１】
また、前記レジスターリングが、該レジスターリング下面に等間隔で形成された溝と前記ケース胴のレジスターリング取付け部に配置されたクリックバネとの係合で節度を持って回転できることを特徴とするものである。
【００２２】
【発明の実施の形態】
以下、本発明の実施の形態を図面に基づいて詳細に説明する。図１は本発明の実施の形態に係わる時計用レジスターリングの構造を示す要部断面図である。図１において、時計ケース１のケース胴２の上面に回転自在に取付けられたレジスターリング３が搭載されている。該レジスターリング３は、下面に等間隔に形成された溝３ａと外周に係合突起３ｂが形成され、前記ケース胴２のレジスターリング取付け部２ａに配設されたクリックバネ４との係合で節度をもって回転できる構造になっている。
【００２３】
前記ケース胴２は、上記したレジスターリング取付け部２ａと、側壁に周状の雄ネジ２ｂが形成されている。５は固定リングで、固定リング５は内周上方に形成された鍔部５ａと内壁に形成された周状の雌ネジ５ｂと後述するロック片の鍔部が係合する周状凹部５ｃが形成されている。
【００２４】
上記した構成により、ケース胴２にレジスターリング３を取り付ける。固定リング５でレジスターリング３を着脱自在に固定するには、前記ケース胴２のレジスターリング取付け部２ａに前記レジスターリング３を設置し、前記レジスターリング３の係合突起３ｂに前記固定リング５の鍔部５ａを係合させながら前記ケース胴２の雄ネジ２ｂに前記固定リング５の雌ネジ５ｂを螺着させることにより達成される。
【００２５】
本実施の形態においては、更に、前記固定リング５と前記ケース胴２とのネジの螺着の緩みによるレジスターリング３の浮きの回避手段として、前記固定リング５をケース胴２に固定するため、少なくとも１つのロック機構を設けている。本実施の形態においては、ロック機構をリューズ側に１つ設けたが、必要により複数個設けても良い。ここで、ロック機構の構成について説明する。
【００２６】
図２〜図７は、本実施の形態のロック機構に係わり、図２は、ロック機構をリューズ側に配設したケースの正面図、図３は、固定リングにロック片をロックした状態、図４は、ロックを解除した状態を示すそれぞれ平面図、図５〜図７はロック機構を構成するロック片がリューズガード部に凹凸係合固定する手段を示す要部断面図である。
【００２７】
図２〜図４において、前記ロック機構を構成するロック片６は、ケース胴２のリューズガード部７に軸部８（ネジ）で回動可能に軸着されていて、前記ロック片６は、軸着されている軸部８と反対側に凹凸係合固定する手段の係合部６ａ（凹部）と、内周底面に、前記固定リング５の外壁に形成した周状凹部５ｃに係合する鍔部６ｂとが形成されている。前記ロック片６は軸部８を中心にして図４に示すように、ロックするには矢印Ａ方向に、ロック解除するには矢印Ｂ方向に時刻表示面に平行に回動させる。後述する係合部の凹凸係合固定する手段により、ロック片６のロックと解除を行うものである。
【００２８】
前記ケース胴２に回動可能に固定されたロック片６の軸部８と係合部６ａとの位置関係は、前記ケース胴２から前記固定リング５を外す回転方向（図４に示す矢印Ｃ方向）に対し前記軸部８が「しも手」に位置している。図３においては、固定リング５が左ネジ（左回転でＣＬＯＳＥ）の場合は、固定リング５を外す回転方向（ＯＰＥＮ）は矢印Ｄ方向になり、前記軸部８が「しも手」に位置している。図３と図４とでは固定リング５を外す回転方向が逆であるので、軸部８とロック片６の係合部６ａとの位置が入れ代わることになる。
【００２９】
ここで、前記ロック片６をロック及び解除する凹凸係合固定する手段について説明する。先ず、第１の手段は、図５において、図５（ａ）はロック状態、図５（ｂ）はロック解除状態を示し、ロック片６には前述した係合部６ａ（凹部）が、リューズガード部７には、コイルバネ９と軸１０を挿通する段付き貫通穴７ａが形成されている。図５（ａ）に示すロック状態においては、コイルバネ９の付勢力により、前記軸１０の先端部１０ａがロック片６の係合部６ａに係合してロックされる。図５（ｂ）に示すロック解除状態においては、前記軸１０の頭部１０ｂをコイルバネ９の付勢力に抗して引き出すことにより、軸１０の先端部１０ａがロック片６の係合部６ａから外れてロックが解除される。
【００３０】
次に、第２の手段は、図６に示すロック状態では、ロック片６には球面形状の係合部６ａ（凹部）が形成され、リューズガード部７には、コイルバネ９とボール１１（ボールピボット）とを収納するスリーブカバー１２を格納する穴部７ｂが形成されている。（一般のピボットも含む）前記ボール１１はコイルバネ９の付勢力により、リューズガード部７の上面からその一部が突出している。前記ロック片６に形成された球面状の係合部６ａとリューズガード部７に配設されたボール１１の位置が合致したところで、コイルバネ９の付勢力により、ボール１１が、ロック片６に形成された球面状の係合部６ａに係合してロックされる。一方、ロック解除は、ロック片６を開くことにより、ボール１１がコイルバネ９の付勢力に抗して引っ込むことにより容易に解除される。
【００３１】
更に、第３の手段は、図７において、図７（ａ）はロック状態、図７（ｂ）はロック解除状態を示し、ロック片６には前述した係合部６ａ（凹部）が、リューズガード部７には、ネジ１３を挿通する段付き貫通穴が７ａが形成されている。図７（ａ）に示すロック状態においては、ロック片６を閉じて、固定リング５の周状凹部５ｃにロック片６の鍔部６ｂを係合した状態で、ロック片６の係合部６ａとネジ１３の位置が合致し、ネジ１３を押し込むことにより先端部１３ａがロック片６の係合部６ａに係合してロックされる。図７（ｂ）に示すように、逆に、ネジ１３を引き出すことによりロックが解除される。尚、上記実施例においては、ケース胴２のリューズガード部７に出没するボールピボット等の凸部を設けたが、出没のしない凸部（ただの突起）をリューズガード部７に形成しても良い。また、係合部６ａ（凹部）をロック片６に形成したが、ケース胴２のリューズガード部７に設けても良い。（この場合は、ロック片６にピボット等の凸部が形成される。）また、更に、ロック機構を構成するロック片６がリューズガード部７に凹凸係合固定するようにしたが、ケース胴２の他の部分（例えば、バンドを取付けるためのカン足部）に設けても良いことは言うまでもない。
【００３２】
上述した構成による作用効果について説明する。請求項１、８の記載の構成により、前記レジスターリング３はケース胴２のレジスターリング取付け部２ａに節度良く載置され、且つ、ケース胴２に螺着された固定リング５により着脱自在に固定されているので、レジスターリング３は円滑に回転する。また、ユーザーは工具を使用しなくても、固定リング５を外すだけの操作で時計ケース１からレジスターリング３を容易に外すことができる。
【００３３】
請求項２、３、４、５、６の構成により、ロック片６がケース胴２のリューズカバー部７に回動自在に軸着され、ロック片６の鍔部６ｂが固定リング５の周状凹部５ｃに係合する。更に、ロック機構により、固定リング５はロック片６の閉じ又は開く簡単な操作で、ロック又はロック解除が行われる。従って、ロック中に不用意に固定リング５とケース胴２の螺着が緩むことがない。従って、レジスターリング３は節度良く円滑な回転が維持される。
【００３４】
請求項６及び７の記載の構成により、前記ロック片６の軸部８と係合部６ａとの位置関係は、前記ケース胴２から前記固定リング５を外す回転方向に対し、軸部８が、「しも手」に位置しているので、仮に、固定リング５を外す回転方向に外力が掛かり固定リング５が緩もうとしても、前記ロック片６をロック又は解除する凹凸係合固定する手段には、固定リング５からロック片６を解除し難い用に作用する。
【００３５】
【発明の効果】
以上述べたように、ユーザーが工具なしで時計ケースからレジスターリングを簡単に外すことができる。この結果、時計とレジスターリングとの間に入ったゴミ、砂等を簡単に取り除くことができる。
【００３６】
また、長期の使用においても常に安定した節度を持った、円滑なレジスターリングの回転が得られる。
【００３７】
また、素材の錆発生も起きにくい時計用レジスターリングの構造を提供することができる。
【図面の簡単な説明】
【図１】本発明の実施の形態に係わる時計用レジスターリングの構造を示す要部断面図である。
【図２】図１のロック機構をリユーズ側に配設した時計ケースの正面図である。
【図３】図１の固定リング（左ネジ）にロック片をロックした状態を示す平面図である。
【図４】図１の固定リング（右ネジ）にロック片を解除した状態を示す平面図である。
【図５】図２のリューズガード部に設けた凸部が突起で、図５（ａ）はロックした状態、図５（ｂ）はロック解除した状態を示す要部断面図である。
【図６】図２のリューズガード部に設けた凸部がボール（ボールピボット）で、ロックした状態を示す要部断面図である。
【図７】図２のリューズガード部に設けた凸部がネジで、図７（ａ）はロックした状態、図７（ｂ）はロック解除した状態を示す要部断面図である。
【図８】従来の時計用レジスターリングの構造を示す要部断面図である。
【図９】従来の他の時計用レジスターリングの構造を示す要部断面図である。
【符号の説明】
１  時計ケース
２  ケース胴
２ａ  レジスターリング取付け部
２ｂ  雄ネジ
３  レジスターリング
３ａ  溝
３ｂ  係合突起
４  クリックバネ
５  固定リング
５ａ  鍔部
５ｂ  雌ネジ
５ｃ  周状凹部
６  ロック片
６ａ  係合部
６ｂ  鍔部
７  リューズガード部
８  軸部
９  コイルバネ
１０  軸
１１  ボール
１２  スリーブカバー
１３  ネジ
【図１】
0003896022.tif 000002
【図２】
0003896022.tif 000003
【図３】
0003896022.tif 000004
【図４】
0003896022.tif 000005
【図５】
0003896022.tif 000006
【図６】
0003896022.tif 000007
【図７】
0003896022.tif 000008
【図８】
0003896022.tif 000009
【図９】
0003896022.tif 000010